(57)【要約】【課題】断熱性や採光性に優れ、多機能に用いることができる断熱障子を提供する。【解決手段】矩形に枠組みされた枠体２内に縦桟材２５ａと横桟材２５ｂとによって格子状に区画され、これら枠体２、縦桟材２５ａおよび横桟材２５ｂの両面に障子紙３が貼設され、各区画に閉塞された断熱空気層３０を形成するようになされた断熱障子１である。枠体２の下部および上部に開口部２０が形成されるとともに、枠体２には、これら開口部２０と中間部との間を縦枠２１間に沿ってスライド移動して開口部２０をそれぞれ閉塞する開閉枠４が設けられてなる断熱障子１である。開口部２０にガラス５が嵌め込まれた断熱障子１である。【選択図】  図１
2008013970.tif 000002
【特許請求の範囲】
【請求項１】
矩形に枠組みされた枠体内に縦桟材と横桟材とによって格子状に区画され、これら枠体、縦桟材および横桟材の両面に障子紙が貼設され、各区画に閉塞された断熱空気層を形成するようになされたことを特徴とする断熱障子。
【請求項２】
枠体の下部および上部に開口部が形成されるとともに、枠体には、これら開口部と中間部との間を縦枠間に沿ってスライド移動して開口部をそれぞれ閉塞する開閉枠が設けられてなり、開閉枠は、枠体と同様に、開閉枠内に縦桟材と横桟材とによって格子状に区画され、これら開閉枠、縦桟材および横桟材の両面に障子紙が貼設され、各区画に閉塞された断熱空気層を形成するようになされた請求項１記載の断熱障子。
【請求項３】
下部および上部の少なくとも何れか一方の開口部には、開閉枠と緩衝しないようにガラスが嵌め込まれた請求項２記載の断熱障子。
【発明の詳細な説明】
【技術分野】
【０００１】
本発明は、住宅建物内で用いる断熱障子に関するものである。
【背景技術】
【０００２】
一般に、住宅建物内において重要視される環境条件としては、通風性や採光性が挙げられる。
【０００３】
従来より、このような環境条件を満たすことができるようになされた屋外と屋内との間仕切り戸としては、窓障子の上下に換気用通気口を設けて自然換気に対応することができるようになされたものが提案されている（特許文献１参照）。
【０００４】
また、屋内では、このようにして取り入れた自然光を活かすために、ガラス戸や障子などのように透光性を有する間仕切り戸を用いて、各居室間の採光性を高めることが行われている。また、通風性については、ガラス戸や障子の開け閉めで調整していた。
【特許文献１】特開２００５−１０５５２７号公報
【発明の開示】
【発明が解決しようとする課題】
【０００５】
しかし、上記従来のガラス戸や障子の場合、採光性に優れているものの、枠体にガラスを嵌めたり、障子紙を貼って構成したものであるため、断熱性が劣るといった不都合を生じることとなる。
【０００６】
本発明は、係る実情に鑑みてなされたものであって、断熱性や採光性に優れ、多機能に用いることができる断熱障子を提供することを目的としている。
【課題を解決するための手段】
【０００７】
上記課題を解決するための本発明の断熱障子は、矩形に枠組みされた枠体内に縦桟材と横桟材とによって格子状に区画され、これら枠体、縦桟材および横桟材の両面に障子紙が貼設され、各区画に閉塞された断熱空気層を形成するようになされたものである。
【０００８】
また、上記断熱障子において、枠体の下部および上部に開口部が形成されるとともに、枠体には、これら開口部と中間部との間を縦枠間に沿ってスライド移動して開口部をそれぞれ閉塞する開閉枠が設けられてなり、開閉枠は、枠体と同様に、開閉枠内に縦桟材と横桟材とによって格子状に区画され、これら開閉枠、縦桟材および横桟材の両面に障子紙が貼設され、各区画に閉塞された断熱空気層を形成するようになされたものである。
【０００９】
さらに、上記断熱障子の下部および上部の少なくとも何れか一方の開口部には、開閉枠と緩衝しないようにガラスが嵌め込まれたものである。
【発明の効果】
【００１０】
以上述べたように、本発明によると、矩形に枠組みされた枠体内に縦桟材と横桟材とによって格子状に区画し、これら枠体、縦桟材および横桟材の両面に障子紙を貼設し、各区画に閉塞された断熱空気層を形成するようにしているので、障子紙を介して優れた採光性を確保しながら、断熱空気層による優れた断熱性を発揮することができる。
【００１１】
また、開閉枠をスライド移動させて開閉することで、障子を開け閉めすることなく、通気性を調整することができる。特に、障子を閉めた状態として開口部の開閉で通気を調整するので、見た目も中途半端に障子が開いた状態とならず、綺麗に納めることができることとなる。
【００１２】
さらに、開口部にガラスを嵌めこんだ場合には、開口部を開閉することで、視線の抜けを調整することができる。
【発明を実施するための最良の形態】
【００１３】
以下、本発明の実施の形態を図面を参照して説明する。
【００１４】
図１ないし図４は断熱障子１の全体構成の概略を示し、図５は同断熱障子１を用いた住宅建物６の間取りを示している。
【００１５】
すなわち、この断熱障子１は、枠体２の両面に障子紙３が貼設されて、断熱空気層３０を形成するようになされるとともに、下部と上部とに開閉枠４によって開閉可能な開口部２０が設けられ、この開口部２０にはガラス５が嵌め込まれている。
【００１６】
枠体２は、等間隔に設けられた３本の縦かまち２１と、下かまち２２と、上かまち２３とによって幅約１８００ｍｍ、高さ約２４００ｍｍ、厚さ約３５ｍｍの矩形に枠組みされている。
【００１７】
下かまち２２から上方に約４００ｍｍ間隙をあけた位置に、下かまち２２と並行するように中かまち２４が設けられ、枠体２の下部に開口部２０が形成されている。上かまち２３から下方に約４００ｍｍ間隙をあけた位置にも、上かまち２３と並行するように中かまち２４が設けられ、枠体２の上部に開口部２０が形成されている。また、中かまち２４は、厚さ約２０ｍｍに形成され、厚さ約３５ｍｍある枠体２の一面２ａに偏心して設けられている。
【００１８】
各縦かまち２１間には、これら縦かまち２１間を均等に分割する間隔で、それぞれ３本の縦桟材２５ａが設けられている。これら３本の縦桟材２５ａのうち２本は、縦かまち２１の内側面に設けられた縦桟材２５ａの取付溝２１ａに嵌め込まれ、残りの１本が縦かまち２１間の中間位置に露出するようになされている。
【００１９】
中かまち２４間には、これら中かまち２４間を均等に分割する間隔で、それぞれ４本の横桟材２５ｂが設けられている。これら４本の横桟材２５ｂのうち２本は、中かまち２４の内側面に設けられた横桟材２５ｂの取付溝２４ａにそれぞれ嵌め込まれ、残りの２本が中かまち２４間を均等に分割する位置に露出するようになされている。
【００２０】
これら縦桟材２５ａおよび横桟材２５ｂにより、開口部２０を除く枠体２の中間部には、格子状の区画が形成されるようになっている。また、縦桟材２５ａおよび横桟材２５ｂは、一辺が１０ｍｍ四方の長尺の角材からなり、厚さが約３５ｍｍある枠体２の一面２ａに偏心して設けられている。これら縦桟材２５ａおよび横桟材２５ｂは、あらかじめ、枠体２の中間部で縦かまち２１の取付溝２１ａと、中かまち２４の取付溝２４ａとに嵌め込むことが可能な枠材２５に構成して枠体２に取り付けられる。厳密には枠材２５に下記障子紙３を貼設してから枠体２に取り付けられる。
【００２１】
障子紙３は、上記縦桟材２５ａと横桟材２５ｂとからなる枠材２５の両面に貼設される。これによって、縦桟材２５ａと横桟材２５ｂと障子紙３とによって閉塞された空間が、断熱空気層３０として形成されることとなる。この障子紙３としては、特にこの種の障子紙３として使用されているものであれば特に限定されることなく使用することができる。したがって、障子紙３としては、紙でなくても、高機能の樹脂フィルムなどであってもよい。
【００２２】
開閉枠４は、取っ手枠４１と横枠４２と３本の縦枠４３とによって、上記枠体２に形成された格子状の区画と同じ大きさの区画を形成して、枠体２の開口部２０と同じ大きさに形成されている。また、この開閉枠４の両面には、障子紙３が貼設され、取っ手枠４１と横枠４２と縦枠４３と障子紙３とによって閉塞された空間が、断熱空気層３０として形成されることとなる。
【００２３】
この開閉枠４は、縦かまち２１と、下かまち２２と、上かまち２３とにそれぞれ設けられたスライド溝２１ｂ、２２ｂ、２３ｂに嵌合するようになされており、縦かまち２１にそって、上下にスライド移動することができるようになされている。これらスライド溝２１ｂ、２２ｂ、２３ｂは、枠体２の他面２ｂに偏心して設けられており、これによって開閉枠４は、枠体２の一面２ａに偏心して設けられた中かまち２４、縦桟材２５ａおよび横桟材２５ｂと緩衝することなくスライド移動することができるようになされている。また、このスライド移動により、開閉枠４は、枠体２の開口部２０を開口したり、閉塞したりすることができるようになされており、開口部２０を閉塞した状態で、取っ手枠４１は、中かまち２４と重なり合うようになされている。
【００２４】
ガラス５は、開口部２０と合致する大きさに形成されている。このガラス５は、上記した開閉枠４と緩衝しないように、枠体２の一面２ａに偏心して取り付けられる。開口部２０へのガラス５の取り付けは、ガラス５の４辺を額縁５１で囲繞した後、これらの額縁５１を、枠体２の一面２ａに偏心して設けられた、縦かまち２１の取付溝２１ａ、下かまち２２の取付溝２２ａ、上かまち２３の取付溝２３ａ、中かまち２４の取付段部２４ｂに、それぞれ嵌め込むことで行われる。
【００２５】
このようにして構成される断熱障子１は、通常の障子と同様に、障子紙３を介して優れた採光性が得られる。また、障子紙３によって、外部からの視線を遮断して目隠し効果が得られる。
【００２６】
また、障子紙３間には断熱空気層３０が形成されているため、通常の障子には無い優れた断熱性が得られることとなる。
【００２７】
さらに、障子紙３を介する採光性では不十分な場合には、開閉枠４をスライド移動させて開口部２０を開閉することで、より一層の採光性が得られる。また、開口部２０のガラスを通して視線が抜けるため、より一層開放感のある空間にすることができる。
【００２８】
なお、本実施の形態において、枠体２を構成する縦かまち２１、下かまち２２、上かまち２３による区画割りや、縦桟材２５ａおよび横桟材２５ｂによる区画割りは、特に限定されるものではなく、居住空間の雰囲気などに応じて適宜変更することができる。
【００２９】
また、本実施の形態において、開口部２０にはガラス５が設けられているが、このガラス５は、特に設ける必要は無く、開口部２０の上または下のガラス５が無かったり、上下両方のガラス５が無いものであってもよい。開口部２０のガラス５が無い場合、開閉枠４をスライド移動させて開口部２０を開閉することで、通風性を向上させることができることとなる。特に、上下両方の開口部２０のガラス５を無くした場合、上下二箇所の開口部２０から通気を確保できるので、優れた通気性が得られる。
【００３０】
さらに、本実施の形態において、断熱障子１は、枠体２に、開閉枠４によって開閉可能な開口部２０を設けているが、このような開口部２０や開閉枠４を無くして枠体２の全体を両面障子紙３貼りにして断熱空気層３０を形成しただけのものとしてもよい。この場合、開口部２０の開閉による視線の抜けや通気性などの効果は得られないが、優れた断熱性や採光性は十分に得られる。
【００３１】
図５は、このようにして構成された断熱障子１を用いた住宅建物６内の間取りを示している。
【００３２】
この住宅建物６は、玄関土間６ａを入って奥行き方向Ｄに沿った全体が廊下６ｂを構成するようになされており、玄関土間６ａの間口方向Ｗに隣接した位置にはキッチン６ｃが設けられている。キッチン６ｃから奥行きＤ方向に沿って順に、螺旋階段６ｄが設けられた階段室ホール６ｅ、居間６ｆが設けられている。螺旋階段６ｄの間口方向Ｗに沿った背後には、家事室６ｇ、納戸６ｈ、トイレ６ｉ、機械室６ｊが設けられている。玄関土間６ａから廊下６ｂにわたる側壁面全体に窓サッシ７が設けられている。本願発明の断熱障子１は、これら玄関土間６ａおよび廊下６ｂと、これらに隣接するキッチン６ｃ、階段ホール６ｅ、居間６ｆとの間に設けられる。
【００３３】
また、螺旋階段６ｄを上がった二階階段ホール６ｋから間口方向Ｗに隣接した一階の玄関土間６ａと廊下６ｂとに相当する位置は、一階と同様に奥行き方向Ｄに沿った全体が廊下６ｍとなされている。一階の居間６ｆに相当する二階部分は寝室６ｎとなされており、一階のキッチン６ｃに相当する二階部分は和室６ｏとなされている。一階の納戸６ｈに相当する二階部分は書斎６ｐとなされている。一階の家事室６ｇに相当する二階部分は納戸６ｑとなされている。一階のトイレ６ｉおよび機械室６ｊに相当する二階部分は浴室６ｒおよび洗面所６ｓとなされている。和室６ｏ、浴室６ｒ、洗面所６ｓ、寝室６ｎの屋外に沿って、奥行き方向Ｄ全体にバルコニー６ｔが設けられいてる。廊下６ｍにわたる側壁面全体に窓サッシ７が設けられている。本願発明の断熱障子１は、この廊下６ｍと、これらに隣接する和室６ｏ、階段ホール６ｋ、寝室６ｎとの間に設けられる。
【００３４】
この住宅建物６によると、窓サッシ７を介して玄関土間６ａ、廊下６ｂ、廊下６ｍに取り入れられる通風や採光などを、断熱障子１を介して居室側へと導くことができる。この場合に、玄関土間６ａ、廊下６ｂ、廊下６ｍは、側壁面全体に設けられた窓サッシ７によって半屋外的な室内空間となり、屋外環境の影響を受けるが、断熱障子１は優れた断熱性があるため、居室への影響を無くして快適な居住空間を形成することができる。
【００３５】
なお、本実施の形態において、断熱障子１の大きさや、使用する数としては、上記したものに限定されるものではなく、この断熱障子１を用いる住宅建物６の大きさや間取りに応じて適宜の大きさのものを適宜の数だけ使用することができる。
【産業上の利用可能性】
【００３６】
住宅建物内の居室間を間仕切る障子として利用できる。
【図面の簡単な説明】
【００３７】
【図１】本発明に係る断熱障子の全体構成の概略を示す平面図である。
【図２】図１のI-I 線断面図である。
【図３】図１のII-II 線断面図である。
【図４】図１のIII-III 線断面図である。
【図５】（ａ）は本発明に係る断熱障子を用いた住宅建物の一階間取り図、（ｂ）と同二階間取り図である。
【符号の説明】
【００３８】
１  断熱障子
２  枠体
２０  開口部
２１  縦かまち（縦枠）
２５ａ  縦桟材
２５ｂ  横桟材
３  障子紙
３０  断熱空気層
４  開閉枠
５  ガラス
【図１】
2008013970.tif 000003
【図２】
2008013970.tif 000004
【図３】
2008013970.tif 000005
【図４】
2008013970.tif 000006
【図５】
2008013970.tif 000007